(57)【要約】【課題】錘部材の位置が変更可能なゴルフクラブヘッドにおいて、錘部材の位置の変更によって、ボールのつかまり具合の変化はできるだけ小さくしながら、ゴルフクラブヘッドの他の特性を変更可能なゴルフクラブヘッドを提供すること。【解決手段】ヘッド本体と、前記ヘッド本体に取付けられる錘部材と、前記錘部材を、前記ヘッド本体の複数の取付位置のいずれかに固定する固定手段と、を備えたゴルフクラブヘッドにおいて、前記複数の取付位置が、前記錘部材が取付けられていない状態での前記ヘッド本体の重心位置と、前記ゴルフクラブヘッドに装着されるシャフトの軸線と、を含む面上に位置していることを特徴とする。【選択図】図３
2010136772.tif 000002
【特許請求の範囲】
【請求項１】
ヘッド本体と、
前記ヘッド本体に取付けられる錘部材と、
前記錘部材を、前記ヘッド本体の複数の取付位置のいずれかに固定する固定手段と、
を備えたゴルフクラブヘッドにおいて、
前記複数の取付位置が、
前記錘部材が取付けられていない状態での前記ヘッド本体の重心位置と、前記ゴルフクラブヘッドに装着されるシャフトの軸線と、を含む面上に位置していることを特徴とするゴルフクラブヘッド。
【請求項２】
前記固定手段が、
前記ヘッド本体のソール部に設けられ、前記複数の取付位置を規定する複数の第１ネジ部と、
前記錘部材に設けられ、前記第１ネジ部に螺着する第２ネジ部と、
を備えたことを特徴とする請求項１に記載のゴルフクラブヘッド。
【請求項３】
前記面に含まれる直線に沿って前記ヘッド本体のソール部に形成され、前記複数の取付け位置を規定するレール部を備え、
前記固定手段は、前記錘部材を前記レール部上の任意の位置に固定することを特徴とする請求項１に記載のゴルフクラブヘッド。
【請求項４】
前記レール部が、
前記直線に沿って形成され、前記錘部材を収容する収容空間を形成する、下方が開放した溝と、
前記直線に沿って前記溝の上部に形成され、上方が閉鎖された区画室と、
前記溝と前記区角室との間に設けられ、前記溝内の空間と前記区画室内とを上下に仕切る仕切り部と、
前記直線に沿って前記仕切り部に形成され、前記溝内の空間と前記区画室内とを連通させるスリットと、を備え、
前記固定手段が、
前記直線に沿って移動可能なように前記区画室内に収容され、前記スリットを介して前記錘部材と接続されるスライド部材と、
前記スライド部材と前記錘部材とにそれぞれ設けられ、互いに螺着するネジ部と、
を備えたことを特徴とする請求項３に記載のゴルフクラブヘッド。
【請求項５】
前記錘部材を固定する前記取付位置の相違による前記ゴルフクラブヘッドの重心深さの変化量が３ｍｍ以上であることを特徴とする請求項１乃至４のいずれか１項に記載のゴルフクラブヘッド。
【請求項６】
重さの異なる複数の前記錘部材を備えたことを特徴とする請求項１乃至５のいずれか１項に記載のゴルフクラブヘッド。
【請求項７】
前記取付位置において、前記ヘッド本体と前記錘部材との間に介挿される樹脂部材を備えたことを特徴とする請求項１乃至６のいずれか１項に記載のゴルフクラブヘッド。
【請求項８】
前記樹脂部材が、前記錘部材に一体に設けられていることを特徴とする請求項７に記載のゴルフクラブヘッド。
【請求項９】
前記錘部材は、前記ヘッド本体のソール部に固定され、
前記ソール部は、前記錘部材の取付位置に形成された凹部を有し、
前記凹部の深さは、
前記ヘッド本体に前記錘部材を固定した状態で、前記錘部材の最下部が、前記ソール部の最下部よりも上方に位置するように設定されていることを特徴とする請求項１乃至８のいずれか１項に記載のゴルフクラブヘッド。
【発明の詳細な説明】
【技術分野】
【０００１】
本発明は、ゴルフクラブヘッドに関するものである。
【背景技術】
【０００２】
ゴルファが、自身の好みによりゴルフクラブヘッドに取り付ける錘部材の位置を変更可能としたゴルフクラブヘッドが提案されている。特許文献１乃至３には、錘部材の位置を変更可能としたパターヘッドが開示されている。特許文献４乃至６には、錘部材の位置を変更可能としたウッド型のゴルフクラブヘッドが開示されている。
【０００３】
【特許文献１】特開２００１−１３７４００号公報
【特許文献２】特開２００６−１０２２３５号公報
【特許文献３】特開２００７−２２２２５７号公報
【特許文献４】実開平７−１５０６７号公報
【特許文献５】特開平１１−９７４２号公報
【特許文献６】実用新案登録第３１２７２３４号公報
【発明の開示】
【発明が解決しようとする課題】
【０００４】
錘部材の位置を変更すると、ゴルフクラブヘッドの重心位置が変化する。重心位置が変わるとゴルフクラブヘッドの特性が変わり、例えば、打球の弾道の高低や左右の方向性、操作性、ボールのつかまり具合等が変化する。ゴルファは自身の好みに応じて、錘部材の位置を変更することができる。
【０００５】
しかし、錘部材の位置を変更すると、ゴルフクラブヘッドの複数の特性が同時に変化してしまう場合がある。ゴルファによっては、ボールのつかまり具合は現状のままで、ゴルフクラブヘッドの他の特性を変化させたい場合がある。
【０００６】
本発明の目的は、錘部材の位置が変更可能なゴルフクラブヘッドにおいて、錘部材の位置の変更によって、ボールのつかまり具合の変化はできるだけ小さくしながら、ゴルフクラブヘッドの他の特性を変更可能なゴルフクラブヘッドを提供することにある。
【課題を解決するための手段】
【０００７】
本発明によれば、ヘッド本体と、前記ヘッド本体に取付けられる錘部材と、前記錘部材を、前記ヘッド本体の複数の取付位置のいずれかに固定する固定手段と、を備えたゴルフクラブヘッドにおいて、前記複数の取付位置が、前記錘部材が取付けられていない状態での前記ヘッド本体の重心位置と、前記ゴルフクラブヘッドに装着されるシャフトの軸線と、を含む面上に位置していることを特徴とするゴルフクラブヘッドが提供される。
【発明の効果】
【０００８】
本発明によれば、錘部材の位置が変更可能なゴルフクラブヘッドにおいて、錘部材の位置の変更によって、ボールのつかまり具合の変化はできるだけ小さくしながら、ゴルフクラブヘッドの他の特性を変更可能なゴルフクラブヘッドを提供することができる。
【発明を実施するための最良の形態】
【０００９】
＜第１実施形態＞
図１は、本発明の一実施形態に係るゴルフクラブヘッドＡの斜視図であり、ソール部１３を透視して表した図である。
【００１０】
ゴルフクラブヘッドＡは、ヘッド本体１０と、錘部材２０と、を備える。ヘッド本体１０は、中空体をなしており、その周壁が、ゴルフボールの打撃面を形成するフェース部１１と、ゴルフクラブヘッドＡの上面をなすクラウン部１２と、ゴルフクラブヘッドＡの底面をなすソール部１３と、ゴルフクラブヘッドＡのトウ側、ヒール側及びバック側の側面をなすサイド部１４と、を構成している。また、ヘッド本体１０には、シャフトが取り付けられるホゼル部１５が設けられている。
【００１１】
ゴルフクラブヘッドＡはドライバ用のゴルフクラブヘッドであるが、本発明はドライバ以外のフェアウエイウッド等も含むウッド型のゴルフクラブヘッド、ユーティリティ型（ハイブリッド型）のゴルフクラブヘッド、その他の中空のゴルフクラブヘッドに適用可能である。また、ヘッド本体１０は、本実施形態の場合、中空体であるが、中実のものであってもよい。
【００１２】
ヘッド本体１０は、複数のパーツを接合して組み立てることができる。例えば、フェース部１１と、その他の部分と、をそれぞれ別部材で作成し、これらを接合してヘッド本体１０を作成することができる。また、フェース部１１と、ソール部１３と、その他の部分と、をそれぞれ別部材で作成し、これらを接合してヘッド本体１０を作成することができる。ヘッド本体１０は、例えば金属材料から作成することができ、そのような金属材料としては、チタン系金属材料やステンレス鋼が挙げられる。ヘッド本体１０は、異なる素材から作成することもでき、例えば、金属材料と、炭素繊維材料と、から作成することもできる。炭素繊維材料としては、炭素繊維強化樹脂（ＣＦＲＰ）が挙げられる。
【００１３】
ソール部１３には、錘部材２０の取付位置を規定する複数の取付部１３１ａ乃至１３１ｄが形成されている。本実施形態の場合、４つの取付部１３１ａ乃至１３１ｄを設けているが、その数は４つに限られない。ゴルフクラブヘッドＡのユーザは、いずれかの取付部１３１ａ乃至１３１ｄに錘部材２０を取り付けることができる。図２は図１の線Ｘ−Ｘに沿うソール部１３の断面図である。
【００１４】
各取付部１３１ａ乃至１３１ｄは、雌ネジ孔ＳＣ１を有する筒状をなしている。錘部材２０は、軸状の雄ネジ部ＳＣ２を有しており、雌ネジ孔ＳＣ１と雄ネジ部ＳＣ２とを互いに螺着することで、錘部材２０をヘッド本体１０に固定することができる。
【００１５】
ワッシャ３０は、錘部材２０とソール部１３との間に介挿される樹脂部材である。ワッシャ３０は、雌ネジ孔ＳＣ１と雄ネジ部ＳＣ２との螺合の緩み止めとなり、一旦固定した錘部材２０が容易に脱落しないようにしている。ワッシャ３０は、錘部材２０に一体的に設けてもよい。例えば、錘部材２０に予め固着しておいてもよい。また、錘部材２０の表面を樹脂材料で被覆してもよい。
【００１６】
図２に示すように、取付部１３１ａ乃至１３１ｄのうち、錘部材２０を取り付けない取付部については、キャップ４０を取り付けて雌ネジ孔ＳＣ１を閉鎖することができる。これにより、雌ネジ孔ＳＣ１を通してヘッド本体１０内にごみ等が侵入することを防止できる。キャップ４０は、例えば、樹脂材料からなり、雌ネジ孔ＳＣ１に対して取り外し可能に嵌入される。雌ネジ孔ＳＣ１を通してヘッド本体１０内にごみ等が侵入することを防止するため、キャップ４０に代えて、雌ネジ孔ＳＣ１の上端が閉鎖された構成としてもよい。
【００１７】
また、キャップ４０は、錘部材２０と同様の形状に形成する一方、材料の選択によって、重心位置の変化に実質的に影響を与えない程度の重さのものとし、雌ネジ孔ＳＣ１と螺合するものとしてもよい。
【００１８】
錘部材２０は、例えば、金属材料から作成することができる。そのような金属材料としては、例えば、タングステン、タングステン合金、アルミ、アルミ合金、マグネシウム、マグネシウム合金を挙げられる。また、錘部材２０は、例えば、粘弾性材料に金属粉を混入したものでもよく、この場合、インパクト時のゴルフクラブヘッドＡの制振効果を向上することができる。そのような粘弾性材料としては、例えば、ＮＢＲ（アクリロニトリルブタジエンゴム）が挙げられる。
【００１９】
次に、取付部１３１ａ乃至１３１ｄの位置について図１及び図３を参照して説明する。図３は重心角θの説明図であり、ゴルフクラブヘッドＡを用いたゴルフクラブのシャフトを、その軸線回りに回転可能にして水平に支持した状態において、ゴルフクラブヘッドＡをソール部１３側から見た図である。図３において、矢印Ｄｈは水平方向を、矢印Ｄｖは鉛直方向を示す。
【００２０】
図１及び図３において、重心位置ＣＧは、錘部材２０が取り付けられていない状態でのヘッド本体１０の重心位置である。面Ｓは、ヘッド本体１０の重心位置ＣＧと、ゴルフクラブヘッドＡに装着されるシャフト（不図示）の軸線Ｌ１と、を含む仮想平面である。シャフトはホゼル部１５に装着されることから、軸線Ｌ１はホゼル部１５の軸線と実質的に同じである。取付部１３１ａ乃至１３１ｄは面Ｓ上に位置しており、特に本実施形態では取付部１３１ａ乃至１３１ｄは面Ｓに含まれる直線Ｌ０上に位置している。
【００２１】
次に、取付部１３１ａ乃至１３１ｄを面Ｓ上に配置したことによる効果について説明する。いずれかの取付部１３１ａ乃至１３１ｄに錘部材２０を固定すると、それにより、ゴルフクラブヘッドＡの重心位置及び重心深さが変化する。ここで、重心深さはゴルフクラブヘッドの重心位置からフェース部への垂線の長さである。なお、フェース部１１が平面でなく、弧状面をなしている場合は、フェースセンタに接する仮想平面を基準とする。
【００２２】
例えば、取付部１３１ａに錘部材２０を取り付けると、ゴルフクラブヘッドＡの重心位置は、ヘッド本体１０の重心位置ＣＧよりもヒール側に移動する。このため、ゴルフクラブヘッドＡの重心距離は相対的に短くなり、ゴルフクラブヘッドＡの操作性が良くなる。また、ゴルフクラブヘッドＡの重心位置が相対的にヒール側にあると、打球は相対的にフックし易くなるが、後述するように重心角はほとんど変わらないため、ボールが極端につかまることは避けられる。したがって、取付部１３１ａに錘部材２０を取り付けると、操作性が良く、ドロー系の弾道が打ち易いクラブとなる。
【００２３】
取付部１３１ｄに錘部材２０を取り付けると、ゴルフクラブヘッドＡの重心位置は、ヘッド本体１０の重心位置ＣＧよりもトウ側に移動する。このため、ゴルフクラブヘッドＡの重心距離は相対的に長くなり、ゴルフクラブヘッドＡの操作性としては、ゴルファがヘッドの重みを感じ易く、ゴルファの手先の動きがゴルフクラブヘッドＡの挙動に影響しにくくなる。また、ゴルフクラブヘッドＡの重心位置が相対的にトウ側にあると、打球は相対的にスライスし易くなるが、後述するように重心角は重心角は変わらないため、ボールのつかまりが極端に悪くなることが避けられる。したがって、取付部１３１ｄに錘部材２０を取り付けると、ゴルフクラブヘッドＡが、ゴルファの操作に鈍感な挙動を示す傾向になり、小細工することなく、フェード系の弾道を打ち易いクラブとなる。
【００２４】
このように本実施形態では、錘部材２０を固定する取付部１３１ａ乃至１３１ｄを選択することにより、ゴルフクラブヘッドＡの特性を変化させることができる。
【００２５】
一方、取付部１３１ａ乃至１３１ｄは面Ｓ上に位置しているため、図２から理解されるように、どの取付部１３１ａ乃至１３１ｄに錘部材２０を取付けたとしても、重心角θはほとんど変化しない。重心角θは、軸線Ｌ１を通る鉛直面（図２における面Ｓ）とフェース部１１とがなす角度である。重心角θは、主として、インパクト時のボールのつかまり具合に影響し、重心角θが大きいほど相対的にボールがつかまり易く、重心角θが小さいほど相対的にボールのつかまりが悪くなる。
【００２６】
このように本実施形態では、錘部材２０の取り付け位置によって、インパクト時のボールのつかまり具合の変化はできるだけ小さくしながら、ゴルフクラブヘッドＡの他の特性を変更することができる。
【００２７】
なお、本実施形態では、錘部材２０を１つとしたが、重さの異なる複数の錘部材２０のいずれかを選択的にヘッド本体１０に固定するようにしてもよい。これにより、ゴルフクラブヘッドＡの重心位置及び重心深さの選択範囲を増やすことができると共に、選択肢も増やすことができる。この場合、２以上の錘部材２０を同時にヘッド本体１０に固定してもよい。
【００２８】
また、錘部材２０を固定する取付部１３１ａ乃至１３１ｄの相違によるゴルフクラブヘッドＡの重心深さの変化量、例えば、取付部１３１ａに錘部材２０を取り付けた場合と、取付部１３１ｄに錘部材２０を取り付けた場合と、の重心深さの差が３ｍｍ以上であることが好ましい。重心深さの差が３ｍｍ以上であれば、重心位置の変化によるゴルフクラブヘッドの特性の変化を、ゴルファがより明確に感じることができる。
【００２９】
＜第２実施形態＞
図４は、取付部１３１ａ乃至１３１ｄの他の構成例を示す断面図であり、図１の線Ｘ−Ｘに沿うソール部１３の断面図に相当する。以下、上記第１実施形態のゴルフクラブヘッドＡと同じ構成については同じ符号を付して説明を割愛し、異なる構成についてのみ説明する。
【００３０】
本実施形態の場合、各取付部１３１ａ乃至１３１ｄに、錘部材２０を収容する凹部１３２ａ乃至１３２ｄが設けられている。凹部１３２ａ乃至１３２ｄの深さは、ヘッド本体１０に錘部材２０を固定した状態で、錘部材２０の最下部が、ソール部１３の最下部よりも上方に位置するように設定されている。
【００３１】
このため、図４に示すように、錘部材２０がソール部１３から突出せず、打撃時に錘部材２０が地面に引っかかることを防止できる。
【００３２】
＜第３実施形態＞
図５は、取付部１３１ａ乃至１３１ｄ及び錘部材２０の他の構成例を示す断面図であり、図１の線Ｘ−Ｘに沿うソール部１３の断面図に相当する。以下、上記第１実施形態のゴルフクラブヘッドＡと同じ構成については同じ符号を付して説明を割愛し、異なる構成についてのみ説明する。
【００３３】
本実施形態は、各取付部１３１ａ乃至１３１ｄに、軸状の雄ネジ部ＳＣ３を設け、錘部材２０に、雄ネジ部ＳＣ３と螺着する雌ネジ孔ＳＣ４を設けたものである。また、各取付部１３１ａ乃至１３１ｄは、錘部材２０が収容される内部空間を有し、上記第２実施形態と同様に、錘部材２０がソール部１３から突出しないようにしている。
【００３４】
このように、ソール部１３側のネジ部と、錘部材２０側のネジ部とは、どちらが雄ネジ、雌ネジであってもよい。
【００３５】
＜第４実施形態＞
上記第１乃至第３実施形態では、互いに離間した複数の位置に錘部材２０を固定可能としたが、面Ｓに含まれる直線上の任意の位置に錘部材２０を固定可能な構成としてもよい。これにより、ゴルフクラブヘッドの重心位置、重心深さをより細かく調整できる。
【００３６】
図６（Ａ）は、第４実施形態におけるソール部１３の断面図であり、図１の線Ｘ−Ｘに沿うソール部１３の断面図に相当する。図６（Ｂ）は図６（Ａ）の線Ｘ−Ｘに沿う断面図であり、錘部材２０を取り外した状態を示す。以下、上記第１実施形態のゴルフクラブヘッドＡと同じ構成については同じ符号を付して説明を割愛し、異なる構成についてのみ説明する。
【００３７】
ソール部１３には、面Ｓに含まれる直線Ｌ０（図１参照）に沿うレール部５０が形成されている。レール部５０は、以下に説明する通り、錘部材２０の移動を案内する。レール部５０は、ソール部１３を凹ませて形成した、下方が開放した溝５１と、溝５１の上部に形成された区画室５２と、を備える。溝５１及び区画室５２はいずれも、上述した直線Ｌ０に沿って形成されている。
【００３８】
溝５１は、一対の側壁１３ａと、各側壁１３ａを曲折して形成した一対の仕切り部１３ｂと、を有する。仕切り部１３ｂは、溝５１と区角室５２との間に位置しており、これらを上下に仕切る。一対の仕切り部１３ｂ間は離隔してスリット５３が形成されている。溝５１内には、錘部材２０が収容される。溝５１の深さは、ヘッド本体１０に錘部材２０を固定した状態で、錘部材２０の最下部が、ソール部１３の最下部よりも上方に位置するように設定され、これにより、錘部材２０がソール部１３から突出せず、打撃時に錘部材２０が地面に引っかかることを防止できる。
【００３９】
区画室５２は、断面がコの字型の蓋部材５４の下端を仕切り部１３ｂに接合することで形成されている。蓋部材５４により区画室５２の上方は閉鎖されている。
【００４０】
区画室５２内には、スライド部材５５が収容される。スライド部材５５は、区画室５２内で回転不能な大きさを有し、例えば、平面視で方形をなしている。スライド部材５５には、スリット５３を通過する軸状の雄ネジ部ＳＣ５が一体的に接続されている。錘部材２０には、雄ネジ部ＳＣ５と螺着する雌ネジ孔ＳＣ６が形成されている。錘部材２０の幅はスリット５３の短手方向の幅よりも大きい。
【００４１】
レール部５０のヒール側の端部は、ヘッド本体１０の一部を曲折した壁部１６と、蓋部材５４の一部により閉鎖されている。レール部５０のトウ側の端部は開放端となっており、ここに閉鎖部材１４１を装着して閉鎖している。ヘッド本体１０の組立ての際、レール部５０のトウ側の端部からスライド部材５５を区画室５２内に挿入する作業を行った後、閉鎖部材１４１をヘッド本体１０に固着して閉鎖する。閉鎖部材１４１は、例えば、ゴム等の弾性体から形成することで、ヘッド本体１０に対して着脱可能な構成としてもよく、この場合、スライド部材５５の交換が可能となる。
【００４２】
係る構成からなる本実施形態では、雄ネジ部ＳＣ５と雌ネジ孔ＳＣ６とを螺着することで、スライド部材５５と錘部材２０とが仕切り部１３ｂを挟み、これにより錘部材２０がヘッド本体１０に固定される。仕切り部１３ｂと錘部材２０との間にワッシャ３０を介挿することで、雄ネジ部ＳＣ５と雌ネジ孔ＳＣ６との螺合の緩み止めとなる。
【００４３】
錘部材２０の位置を変更する場合は、雄ネジ部ＳＣ５と雌ネジ孔ＳＣ６との螺合を緩ませ、スライド部材５５と錘部材２０とを矢印Ｄ２方向に移動する。移動の際、これらはレール部５０に案内されるので、位置変更が容易である。そして、所望の位置で雄ネジ部ＳＣ５と雌ネジ孔ＳＣ６とを螺着することで、錘部材２０を固定することができる。
【００４４】
このように本実施形態では、直線Ｌ０上の任意の位置に錘部材２０を固定可能であり、ゴルフクラブヘッドの重心位置、重心深さをより細かく調整できる。なお、本実施形態の場合、ヘッド本体１０の重心位置ＣＧは、錘部材２０及びスライド部材５５を取り外した状態でのヘッド本体１０の重心位置とする。また、本実施形態では、スライド部材５５から錘部材２０を完全に取り外すことができるので、重さの異なる複数の錘部材２０のいずれかを選択的にヘッド本体１０に固定するようにしてもよい。
【００４５】
また、本実施形態では、レール部５０が、閉鎖部材１４１及び壁部１６、蓋部材５４により囲まれるので、レール部５０を介してごみ等がヘッド本体１０内に侵入することを防止することができる。
【００４６】
なお、レール部５０の構造としては、図６（Ａ）及び（Ｂ）に示した構造に限られず、錘部材２０を移動可能であり、任意の位置に固定可能なものであれば、どのような構造でもよい。
【図面の簡単な説明】
【００４７】
【図１】本発明の一実施形態に係るゴルフクラブヘッドＡの斜視図である。
【図２】図１の線Ｘ−Ｘに沿うソール部１３の断面図である。
【図３】重心角θの説明図である。
【図４】本発明の第２実施形態に係る取付部１３１ａ乃至１３１ｄの構成を示す断面図である。
【図５】本発明の第３実施形態に係る取付部１３１ａ乃至１３１ｄ及び錘部材２０の構成を示す断面図である。
【図６】（Ａ）は第４実施形態におけるソール部１３の断面図であり、（Ｂ）は図６（Ａ）の線Ｘ−Ｘに沿う断面図である。
【符号の説明】
【００４８】
Ａ  ゴルフクラブヘッド
１０  ヘッド本体
２０  錘部材
【図１】
2010136772.tif 000003
【図２】
2010136772.tif 000004
【図３】
2010136772.tif 000005
【図４】
2010136772.tif 000006
【図５】
2010136772.tif 000007
【図６】
2010136772.tif 000008